(57)【要約】【課題】給湯機の運転がＯＦＦの時は、ふろの温度設定や、湯量設定、給湯温度設定が行えないようにする。【解決手段】コンテンツ画面などを表示する表示手段２と、操作を行うための入力手段４と、前記入力手段からの情報、設定情報、表示情報などを演算処理する制御手段６と、ふろの湯温や湯量やふろの自動予約に関する設定を行う、設定値変更手段８と、給湯機の運転のＯＮ／ＯＦＦを行う運転切替え手段３を有し、これによって、給湯機の運転ＯＦＦ中は、利用者がふろ設定の操作が行えないようにできるので、利用者が、設定を変更していたことを忘れて、実際に思っていたより熱い湯が出たり、思っていたふろの湯量とは違った湯量が浴槽に貯まっているといった不具合の発生を低減させることができる。【選択図】図２
2005121314.tif 000002
【特許請求の範囲】
【請求項１】
コンテンツ画面などを表示する表示手段と、操作を行うための入力手段と、前記入力手段からの情報、設定情報、表示情報などを演算処理する制御手段と、ふろの湯温や湯量やふろの自動予約に関する設定を行う設定値変更手段と、給湯機の運転のＯＮ／ＯＦＦの切替えを行う運転切替え手段とを有し、前記制御手段は、利用者が、前記設定値変更手段によってふろの湯温や湯量やふろの自動予約などふろの設定中に、前記運転切替え手段によって運転中の給湯機を運転ＯＦＦにすると、前記ふろ設定の操作を不可にすることを特徴とする、給湯機リモコン。
【請求項２】
制御手段は、利用者が、ふろの湯温や湯量やふろの自動予約などふろの設定中に、前記運転切替え手段によって運転中の給湯機を運転ＯＦＦにすると、前記ふろ設定の操作を不可にし、給湯機の運転ＯＦＦ中はふろ設定ができない旨の報知を行う、請求項１に記載の給湯機リモコン。
【請求項３】
制御手段は、給湯機が運転ＯＦＦ中は、ふろ設定の操作を不可にすることを特徴とする、請求項１または２いずれか１項に記載の給湯機リモコン。
【請求項４】
制御手段は、給湯機が運転ＯＦＦ中は、ふろ設定の操作を不可にし、また、利用者がふろ設定の操作をした際には、給湯機の運転ＯＦＦ中はふろ設定ができない旨の報知を行う、請求項３に記載の給湯機リモコン。
【請求項５】
カランやシャワーなどの給湯温度の設定を行う給湯設定手段を有し、制御手段は、利用者が、前記給湯設定手段によってカランやシャワーなどの給湯温度を設定中に、運転切替え手段によって運転中の給湯機を運転ＯＦＦにすると、給湯設定の操作を不可にすることを特徴とする給湯機リモコン。
【請求項６】
制御手段は、利用者が、給湯の温度を設定中に、前記運転切替え手段によって運転中の給湯機を運転ＯＦＦにすると、前記給湯設定の操作を不可にし、給湯機の運転ＯＦＦ中は給湯設定ができない旨の報知を行う、請求項５に記載の給湯機リモコン。
【請求項７】
制御手段は、給湯機が運転ＯＦＦ中は、給湯設定の操作を不可にすることを特徴とする、請求項５または６いずれか１項に記載の給湯機リモコン。
【請求項８】
制御手段は、給湯機が運転ＯＦＦ中は、給湯設定の操作を不可にし、また、利用者が、給湯設定の操作をした際には、設定できない旨の報知を行う、請求項７に記載の給湯機リモコン。
【請求項９】
請求項１から８のいずれかに記載の給湯機リモコンが有する機能の少なくとも一部をコンピュータにより実行するためのプログラム。
【発明の詳細な説明】
【技術分野】
【０００１】
本発明は、給湯機が運転中にのみふろの温度や湯量や、給湯温度の設定を行うことができる給湯機リモコンに関するものである。
【背景技術】
【０００２】
従来、給湯・ふろ設定温度や、給湯機の燃焼中の表示、自動湯張りの設定水位等を液晶表示する機能を備えた給湯機リモコンがある。
【０００３】
また、液晶表示に加え、ＬＥＤ、発光セグメントなどの発光素子にて表示することを、同一のリモコン上に設けることで、給湯設定温度などの表示の視認性を高めた給湯機リモコンがある（例えば、特許文献１参照）。
【０００４】
図９は、前記特許文献１に記載された、従来の給湯機リモコンの例を示す図である。
【０００５】
図９に示すように、メインリモコン１１は、液晶表示手段１２と、発光表示手段１３と、運転スイッチ１４と、運転ランプ１５と、給湯温度ＵＰスイッチ１６と、給湯温度ＤＯＷＮスイッチ１７から構成されている。
【０００６】
運転スイッチ１４により給湯機が運転状態になると、運転ランプ１５が点灯し、予め設定されていた給湯温度が液晶表示手段１２と、発光表示手段３に表示される。
【０００７】
これにより、液晶表示手段１２のバックライトが消えたり、照度が落ちていて、液晶表示が見にくいような場合でも、発光表示手段１３に給湯温度が表示されるので、使用者は容易に給湯温度を視認することができる。
【特許文献１】実開平７−１１０８１号公報
【発明の開示】
【発明が解決しようとする課題】
【０００８】
しかし、上述したように、設定温度等の視認性を上げる手法は、様々な方法が考えられているが、給湯温度や、ふろの湯温設定などは、上述したように、運転スイッチにより、給湯機の運転ＯＮにして、表示手段に設定温度や温度設定画面が表示されてから、設定可能となるものが多い。
【０００９】
例えば、給湯機の運転ＯＦＦ中は、画面上には給湯温度やふろ温度などは表示されておらず、運転スイッチを操作して、給湯機が運転状態になると、画面上に給湯温度やふろ温度などが表示される。
【００１０】
しかしながら、給湯機が運転ＯＦＦ中でも、画面上に温度設定画面を表示したい場合や、画面上に温度設定画面へリンクしているボタンやアイコンを表示したい場合は、給湯機の運転がＯＦＦの状態でも、ふろや給湯の温度設定画面が表示されるので、温度設定変更が可能である。
【００１１】
このとき、すぐ利用するつもりで、給湯機が運転ＯＦＦの状態で、温度設定のみを変更して、実際には設定を変更して長時間経ってからふろを利用した場合など、設定を変更していたことを忘れて、実際に思っていたより熱い湯が出たり、思っていたふろの湯量とは違った湯量が浴槽に貯まっているといった不具合が生じる可能性がある。
【００１２】
よって、給湯機が運転ＯＦＦ中でも、画面上に温度設定画面を表示したい場合や、画面上に温度設定画面へリンクしているボタンやアイコンを表示したい場合は、給湯機が運転ＯＦＦ中に、設定画面や設定画面へリンクしているボタンやアイコンは表示しても、ふろの湯温や湯量、給湯温度の設定変更はできないようにする必要がある。
【００１３】
本発明は、上記従来の課題を解決するもので、利用者が、ふろの湯温や湯量やふろの自動予約などを設定中に、前記運転切替え手段によって運転ＯＮ中の給湯機を運転ＯＦＦにすると、ふろ設定の操作を不可にするような、給湯機リモコンを提供することを目的とする。
【課題を解決するための手段】
【００１４】
前記従来の課題を解決するために、本発明の給湯機リモコンは、コンテンツ画面などを表示する表示手段と、操作を行うための入力手段と、前記入力手段からの情報、設定情報、表示情報などを演算処理する制御手段と、ふろの湯温や湯量やふろの自動予約に関する設定を行う、設定値変更手段と、給湯機の運転のＯＮ／ＯＦＦを行う運転切替え手段を有し、前記制御手段は、利用者が、ふろの湯温や湯量やふろの自動予約などを設定中に、前記運転切替え手段によって運転ＯＮ中の給湯機を運転ＯＦＦにすると、ふろ設定の操作を不可にすることを特徴とするものである。
【００１５】
これによって本発明は、給湯機が運転中にのみ、ふろの温度や、自動お湯張りの湯量を設定変更できるようにすることで、利用者がふろの湯温や、自動お湯張りのふろ湯量を設定する際は、必ず給湯機が運転中に設定変更できるようにすることを目的とする。
【発明の効果】
【００１６】
本発明の給湯機リモコンは、給湯機の運転ＯＦＦ中は、利用者がふろ設定の操作が行えないようにし、利用者が、設定を変更していたことを忘れて、実際に思っていたより熱い湯が出たり、思っていたふろの湯量とは違った湯量が浴槽に貯まっているといった不具合の発生を低減させることができる。
【発明を実施するための最良の形態】
【００１７】
第１の発明は、コンテンツ画面などを表示する表示手段と、操作を行うための入力手段と、前記入力手段からの情報、設定情報、表示情報などを演算処理する制御手段と、ふろの湯温や湯量やふろの自動予約に関する設定を行う、設定値変更手段と、給湯機の運転のＯＮ／ＯＦＦの切替えを行う運転切替え手段とを有し、前記制御手段は、利用者が、前記設定値変更手段によってふろの湯温や湯量やふろの自動予約などを設定中に、前記運転切替え手段によって運転中の給湯機を運転ＯＦＦにすると、ふろ設定の操作を不可にすることを特徴とする、給湯機リモコンであり、上記構成、動作によると、前記給湯機が運転中に利用者がふろ温度などのふろ設定をしている途中で、給湯機を運転ＯＦＦにすると、ふろ設定の操作を不可にすることで、利用者が、すぐ利用するつもりで、給湯機が運転ＯＦＦの状態で、温度設定のみを変更して、実際には設定を変更して長時間経ってからふろを利用した場合など、設定を変更していたことを忘れて、実際に思っていたより熱い湯が出たり、思っていたふろの湯量とは違った湯量が浴槽に貯まっているといった不具合の発生を低減させることができる。
【００１８】
第２の発明は、第１の発明において、制御手段は、利用者が、ふろの湯温や湯量やふろの自動予約などを設定中に、前記運転切替え手段によって運転中の給湯機を運転ＯＦＦにすると、ふろ設定の操作を不可にし、給湯機の運転ＯＦＦ中はふろ設定ができない旨の報知を行う、給湯機リモコンであり、上記構成、動作によると、前記給湯機が運転中に利用者がふろ温度などのふろ設定をしている途中で、給湯機を運転ＯＦＦにし、ふろ設定の操作が不可になったときでも、給湯機の運転ＯＦＦ中にはふろ設定ができない旨の報知を行うことで、利用者に故障という誤解を与えることがなく、また、給湯機の運転中でなければ、ふろ設定が行えないことを利用者に報知できるので、利用者の前記給湯機リモコンの操作性を向上させることができる。
【００１９】
第３の発明は、第１の発明、または第２の発明において、制御手段は、給湯機が運転ＯＯＦＦ中は、ふろ設定の操作を不可にすることを特徴とする、給湯機リモコンであり、上記構成、動作によると、給湯機が運転ＯＦＦ中には、ふろ設定を行うボタンを非表示にしたり、ふろ設定を行うための操作を無効にすることで、給湯機が運転ＯＦＦ中は利用者がふろ設定を行うことができないので、利用者が、すぐ利用するつもりで、給湯機が運転ＯＦＦの状態で、温度設定のみを変更して、実際には設定を変更して長時間経ってからふろを利用した場合など、設定を変更していたことを忘れて、実際に思っていたより熱い湯が出たり、思っていたふろの湯量とは違った湯量が浴槽に貯まっているといった不具合の発生を低減させることができる。
【００２０】
第４の発明は、第３の発明において、制御手段は、給湯機が運転ＯＦＦ中は、ふろ設定の操作を不可にし、また、利用者がふろ設定の操作をした際には、給湯機の運転ＯＦＦ中はふろ設定ができない旨の報知を行う、給湯機リモコンであり、上記構成、動作によると、利用者が、給湯機を運転ＯＦＦ中にふろの設定を行おうとしたが、給湯機が運転ＯＦＦ中でふろ設定の操作が不可になっていたときでも、給湯機の運転ＯＦＦ中にはふろ設定ができない旨の報知を行うことで、利用者に故障という誤解を与えることがなく、また、給湯機の運転中でなければ、ふろ設定が行えないことを利用者に報知できるので、利用者の前記給湯機リモコンの操作性を向上させることができる。
【００２１】
第５の発明は、カランやシャワーなどの給湯温度の設定を行う給湯設定手段を有し、制御手段は、利用者が、前記給湯設定手段によってカランやシャワーなどの給湯温度を設定中に、運転切替え手段によって運転中の給湯機を運転ＯＦＦにすると、給湯設定の操作を不可にすることを特徴とする、給湯機リモコンであり、上記構成、動作によると、前記給湯機が運転中に利用者が給湯温度などの給湯設定をしている途中で、給湯機を運転ＯＦＦにすると、給湯設定の操作を不可にすることで、利用者が、すぐ利用するつもりで、給湯機が運転ＯＦＦの状態で、給湯設定のみを変更して、実際には設定を変更して長時間経ってから給湯を利用した場合など、設定を変更していたことを忘れて、実際に思っていたより熱い湯が出るといった不具合を低減させることができる。特に、給湯温度設定は、ふろ温度設定よりも高温に設定する機会が多いので、給湯機の運転中のみ給湯設定を変更できるようにすることで、実際に思っていたより熱い湯が出てやけどをするといった危険を低減させることができ、安全性を向上させることができる。
【００２２】
第６の発明は、第５の発明において、制御手段は、利用者が、給湯の温度を設定中に、前記運転切替え手段によって運転中の給湯機を運転ＯＦＦにすると、給湯設定の操作を不可にし、給湯機の運転ＯＦＦ中は給湯設定ができない旨の報知を行う、給湯機リモコンであり、上記構成、動作によると、利用者が、給湯機を運転ＯＦＦ中に給湯の設定を行おうとしたが、給湯機が運転ＯＦＦ中で給湯設定の操作が不可になっていたときでも、給湯機の運転ＯＦＦ中には給湯設定ができない旨の報知を行うことで、利用者に故障という誤解を与えることがなく、また、給湯機の運転中でなければ、給湯設定が行えないことを利用者に報知できるので、利用者の前記給湯機リモコンの操作性を向上させることができる。
【００２３】
第７の発明は、第５または第６の発明において、制御手段は、給湯機が運転ＯＦＦ中は、給湯設定の操作を不可にすることを特徴とする、給湯機リモコンであり、上記構成、動作によると、給湯機が運転ＯＦＦ中には、給湯設定を行うボタンを非表示にしたり、給湯設定を行うための操作を無効にすることで、給湯機が運転ＯＦＦ中は利用者が給湯設定を行うことができないので、利用者が、すぐ利用するつもりで、給湯機が運転ＯＦＦの状態で、給湯の温度設定のみを変更して、実際には設定を変更して長時間経ってから給湯を利用した場合など、設定を変更していたことを忘れて、実際に思っていたより熱い湯が出るといった不具合を低減させることができる。特に、給湯温度設定は、ふろ温度設定よりも高温に設定する機会が多いので、給湯機の運転中のみ給湯設定を変更できるようにすることで、実際に思っていたより熱い湯が出てやけどをするといった危険を低減させることができ、安全性を向上させることができる。
【００２４】
第８の発明は、第７の発明において、制御手段は、給湯機が運転ＯＦＦ中は、給湯設定の操作を不可にし、また、利用者が、給湯設定の操作をした際には、設定できない旨の報知を行う、給湯機リモコンであり、上記構成、動作によると、利用者が、給湯機を運転ＯＦＦ中に給湯の設定を行おうとしたが、給湯機が運転ＯＦＦ中で給湯設定の操作が不可になっていたときでも、給湯機の運転ＯＦＦ中には給湯設定ができない旨の報知を行うことで、利用者に故障という誤解を与えることがなく、また、給湯機の運転中でなければ、給湯設定が行えないことを利用者に報知できるので、利用者の前記給湯機リモコンの操作性を向上させることができる。
【００２５】
第９の発明は、第１から第８のいずれかに記載の給湯機リモコンが有する機能の一部または全部をコンピュータにより実行するためのプログラムである。
【００２６】
そしてプログラムであるので、家庭にあるコンピュータ等などを用いて本発明の給湯機リモコンの一部あるいは全部の機能を容易に実現することができる。
【００２７】
以下、本発明の実施の形態について、図面を参照しながら説明する。なお、本実施の形態によって本発明が限定されるものではない。
【００２８】
（実施の形態１）
図１は、本発明の第１の実施の形態における給湯機リモコンの概観図の例を示すものである。図１において、給湯機リモコン１は、前記給湯機リモコンのアプリケーション画面などを表示する表示手段２と、給湯機の運転のＯＮ／ＯＦＦを切替える運転切替え手段３と、前記給湯機リモコンを操作するための入力手段４を備えている。前記運転切替え手段３は、前記入力手段の１つである。また、入力手段として、前記表示手段２の上にタッチパネル５を設けており、前記表示手段２上に設定された所定の領域のボタンイメージに触れることで、入力を行うことができる。
【００２９】
また、図２は、本発明の第１の実施の形態における給湯機リモコンの構成図の例を示すものである。図２において、給湯機リモコン１は、前記給湯機の運転のＯＮ／ＯＦＦを切替える運転切替え手段３、前記給湯機リモコンを操作するための入力手段４、タッチパネル５、タッチパネル５の領域に設けられている、ふろ温度や、ふろ湯量の設定値を変更する設定値変更手段８からの入力情報をもとに、前記入力情報からボタンの種類や、前記タッチパネル５からの入力位置情報と前記入力位置における前記表示手段の表示内容から入力内容を入力情報制御手段７により検出し、制御手段６によって、表示手段２に表示する表示内容を決定したり、前記給湯機リモコン１の動作や、前記給湯機リモコン１に接続される給湯機との制御信号の送受信の制御などを行っている。
【００３０】
以上のように構成された給湯機リモコンにおいて、以下その動作、作用について、図１、および図３〜図６を用いて説明する。
【００３１】
前記給湯機リモコン１の機能が、給湯機のリモコンとしての機能のみである場合は、給湯機の運転がＯＮのときのみ、画面に表示して、給湯機の運転がＯＦＦの時は、画面を消すことで、給湯機の運転中のみふろの温度設定や湯量設定が変更できる。しかし、図１に示す給湯機リモコンのように、給湯機リモコンとしての機能のほかに、給湯機とつながる暖房機器を制御できる、暖房リモコンの機能や、インターネットと接続して、各種情報をダウンロードし情報の閲覧ができる機能など、複数の機能を備える給湯機リモコンの場合は、前記入力手段４を用いるなどして、各々のアプリケーション画面を切替えながら、常に何かしらのアプリケーション画面が表示されている（消費電力削減のため、所定時間で画面を自動的にＯＦＦしている場合を除く）。
【００３２】
このとき、従来のリモコンと同様に、例えば、給湯機の運転中しか、画面に情報が表示されないとか、ふろの温度設定中に給湯機の運転をＯＦＦしたとき、情報端末や、暖房リモコンとしての機能があるにも関わらず、画面全体をＯＦＦすることは、その都度画面を復帰させなければならないので、操作性が悪くなる。よって、給湯機の運転がＯＦＦ中でも、ふろや給湯機の温度設定画面が表示されることになり、従来のリモコンと同様である場合は、給湯機が運転ＯＦＦ中でも、ふろの温度や、湯量の設定が行えることになり、給湯機が運転ＯＦＦ中でも設定変更できることは、利用者が、すぐ利用するつもりではいたが、給湯機が運転ＯＦＦの状態で、温度設定のみを変更して、実際には設定を変更して長時間経ってからふろを利用する状況などが考えられ、すると設定を変更していたことを忘れて、実際に思っていたより熱い湯が出たり、思っていたふろの湯量とは違った湯量が浴槽に貯まっているといったことが発生する可能性がある。
【００３３】
図１、図３〜図６は、前記給湯機リモコンに表示する、アプリケーション画面の例であり、以下、これらの図を用いて、本発明の第１の実施の形態における給湯機リモコンの動作、作用を説明する。
【００３４】
例えば、図１は給湯機が運転ＯＦＦ状態の、給湯機リモコンに表示する画面の例である。このとき、前記給湯機リモコンの表示手段２には、例えば、現在時刻などを表示する。
【００３５】
次に、図３は前記給湯機リモコンの前記運転切替え手段３を操作し、前記給湯機リモコンに接続している給湯機の運転をＯＮにしたときの、給湯機リモコンに表示する画面の例である。
【００３６】
このように、前記運転切替え手段３を操作し、給湯機の運転をＯＮしたときに、前記表示画面に設定温度を表示する動作は、従来のリモコンの動作と変わらない。
【００３７】
このとき、利用者がふろの設定温度やふろの自動お湯張りの設定水位を変更する場合、前記表示手段２上の設定ボタンに触れると、図４に示すような、ふろ設定を行う画面が表示されるので、ふろの設定温度やふろの自動お湯張りの設定水位を変更する場合は、ふろ設定のボタンに触れると、図５に示すような、ふろの設定温度やふろの自動お湯張りの設定水位を変更する画面が表示される。
【００３８】
また、図４において、ふろ予約のボタンに触れると、おふろの自動お湯張りが完了する時間などが設定できる画面が表示される。
【００３９】
ここでは、図５に示すような、ふろの設定温度やふろの自動お湯張りの設定水位を変更する画面が表示されているときの動作について述べる。
【００４０】
前記給湯機が運転中に、利用者が、ふろの設定温度やふろの自動お湯張りの設定水位を変更するために、所定の操作を行い、図５に示すような設定画面を表示させた後、設定値変更手段８を用いて、画面上に表示されている、設定温度を変更したり、湯張り量を変更したりすることで、ふろの設定温度や湯量の変更ができる。
【００４１】
しかし、図５に示すような設定画面を表示しているときに、利用者が給湯機の運転をＯＦＦするために、前記運転切替え手段３を操作し、前記給湯機の運転をＯＦＦすると、前記給湯機リモコン１の表示手段２には、図６に示すような、給湯機の運転ＯＦＦ中にはふろ設定ができない旨の報知を行う。
【００４２】
なお、給湯機の運転中にのみ設定ができる旨の報知を行っても、その効果は変わらない。
【００４３】
そして、所定の時間が経過後または、画面上に設けられたＯＫボタンを操作すると、図１に示すような、ふろ／給湯のトップ画面や、図４に示すような各種設定画面など、所定の画面に切替える。このとき、図４に示すような各種設定画面など、所定の画面に切替えられた場合は、給湯機の運転がＯＦＦであるので、図４の画面上の、ふろ設定、ふろ自動のボタンは非表示にしたり、表示は行うが、入力操作をされても入力を無効とするようにして、ふろ温度や湯量の設定が変更できないようにする。
【００４４】
また、前記給湯機の運転がＯＦＦのときに、利用者がふろの設定温度や湯量設定を変更しようと、図４の画面上のふろ設定、ふろ自動のボタンに触れたときも、図６に示すような、給湯機の運転ＯＦＦ中にはふろ設定ができない旨の報知を行う。
【００４５】
つまり、給湯機の運転がＯＦＦ中には、ふろの設定温度や湯量を変更するふろ設定画面は表示するが、設定不可のボタンを非表示にしたり、アイコンの色調を変えてかつ入力を無効にするなどとすることで、利用者がふろの設定温度や湯量設定の変更ができないようにする。
【００４６】
例えば、図４において、給湯機の運転がＯＦＦ中は、画面上の湯量・温度設定ボタン、ふろ予約ボタン、給湯温度ボタンを非表示にしたり、設定可能な配管洗浄のボタンとはボタンの色調を変えることで、利用者に設定可能な項目と、設定不可の項目を視覚的に区別して表示することで、操作性を向上させることができる。また、設定不可のボタンの色調を変えたとしても、そのときに利用者がふろの設定温度や湯量設定を変更しようと、所定の操作をしたとき、例えば、図４において、給湯機の運転がＯＦＦのときに、ふろの設定温度を変更しようとタッチパネル上の、湯量・温度設定ボタンを入力したときは、給湯機リモコンの表示手段２上に、給湯機の運転ＯＦＦ中にはふろ設定ができない旨の報知を行う。
【００４７】
このように、給湯機の運転がＯＦＦ中には、ふろ設定、ふろ自動のボタンは非表示にしたり、表示は行うが、入力操作をされても入力を無効とするようにして、ふろ温度や湯量の設定が変更できないようにしたり、前記給湯機の運転中に、利用者がふろの設定温度や湯量設定を変更している最中に、前記給湯機の運転をＯＦＦにした場合には、再び前記給湯機の運転がＯＮされるまで、利用者がふろの設定温度や湯量設定の変更ができないようにすることで、利用者が、すぐ利用するつもりで、給湯機が運転ＯＦＦの状態で、温度設定のみを変更して、実際には設定を変更して長時間経ってからふろを利用した場合など、設定を変更していたことを忘れて、実際に思っていたより熱い湯が出たり、思っていたふろの湯量とは違った湯量が浴槽に貯まっているといった不具合の発生を低減させることができる。
【００４８】
また、前記給湯機の運転中に、利用者がふろの設定温度や湯量設定を変更している最中に、前記給湯機の運転をＯＦＦにした場合や、前記給湯機の運転がＯＦＦ中には、利用者がふろの設定温度や湯量設定の変更ができないようにすると共に、そのときに利用者がふろの設定温度や湯量設定を変更しようと、所定の操作をしたときは、前記表示手段２に給湯機の運転ＯＦＦ中にはふろ設定ができない旨の報知を行うことで、利用者に故障という誤解を与えることがなく、また、給湯機の運転中でなければ、ふろ設定が行えないことを利用者に報知できるので、利用者の前記給湯機リモコンの操作性を向上させることができる。
【００４９】
（実施の形態２）
実施の形態２は、実施の形態１に加えて、カランやシャワーなどの給湯温度の設定を行う場合の実施例であり、その他の構成、動作は実施の形態１と同じである。
【００５０】
そこで以下では実施の形態２の構成、動作について、実施の形態１との相違点を中心に述べ、その他の構成、動作について実施の形態１と同じものとする。
【００５１】
次に実施の形態２について図１、図３、図４、図７、図８を用いて説明する。
【００５２】
図７、図８は前記給湯機リモコンに表示する、アプリケーション画面の例である。図７において、給湯機リモコン１は、カランやシャワーなどの給湯温度の設定を行う給湯設定手段９を備えている。
【００５３】
給湯機が運転中のときに、図４に示すような、ふろ・給湯設定画面が表示されているとき、利用者が給湯の設定温度を変更する場合、前記表示手段２上の設定ボタンに触れると、図４に示すような、給湯設定を行う画面が表示されるので、給湯の設定温度を変更する場合は、給湯設定のボタンに触れると、図７に示すような、給湯の設定温度やふろの自動お湯張りの設定水位を変更する画面が表示される。
【００５４】
前記給湯機が運転中に、利用者が、給湯の設定温度を変更するために、所定の操作を行い、図７に示すような給湯の設定画面を表示させた後、画面上に表示されている、給湯設定手段９を用いて、給湯の設定温度を変更することで、給湯設定温度が変更ができる。
【００５５】
しかし、図７に示すような設定画面を表示しているときに、利用者が給湯機の運転をＯＦＦするために、前記運転切替え手段６を操作し、前記給湯機の運転をＯＦＦすると、前記給湯機リモコン１の表示手段２には、図８に示すような、給湯機の運転ＯＦＦ中には給湯設定ができない旨の報知を行う。
【００５６】
そして、所定の時間が経過後または、画面上に設けられたＯＫボタンを操作すると、図１に示すような、ふろ／給湯のトップ画面や、図４に示すような各種設定画面など、所定の画面に切替える。このとき、図４に示すような各種設定画面など、所定の画面に切替えられた場合は、給湯機の運転がＯＦＦであるので、図４の画面上の、給湯設定ボタンは非表示にしたり、表示は行うが、入力操作をされても入力を無効とするようにして、給湯温度設定が変更できないようにする。
【００５７】
また、前記給湯機の運転がＯＦＦのときに、利用者が給湯の設定温度や湯量設定を変更しようと、図４の画面上の給湯設定ボタンに触れたときも、図８に示すような、給湯機の運転ＯＦＦ中には給湯設定ができない旨の報知を行う。
【００５８】
つまり、給湯機の運転がＯＦＦ中には、利用者が給湯の設定温度の変更ができないようにし、そのときに利用者が給湯の設定温度や湯量設定を変更しようと、所定の操作をしたときは、前記給湯機リモコンの表示手段２上に、給湯機の運転ＯＦＦ中には給湯設定ができない旨の報知を行う。
【００５９】
このように、前記給湯機の運転がＯＦＦ中には、給湯設定ボタンは非表示にしたり、表示は行うが、入力操作をされても入力を無効とするようにして、給湯温度や湯量の設定が変更できないようにしたり、前記給湯機の運転中に、利用者が給湯の設定温度や湯量設定を変更している最中に、前記給湯機の運転をＯＦＦにした場合には、再び前記給湯機の運転がＯＮされるまで、利用者が給湯の設定温度の変更ができないようにすることで、利用者が、すぐ利用するつもりで、給湯機が運転ＯＦＦの状態で、温度設定のみを変更して、実際には設定を変更して長時間経ってから給湯（カランやシャワーなど）を利用した場合など、設定を変更していたことを忘れて、実際に思っていたより熱い湯が出るといった不具合の発生を低減させることができる。
【００６０】
特に、カランやシャワーなどの給湯の場合は、ふろ温度設定よりも高温に設定する機会が多いので、給湯機の運転中のみ給湯設定を変更できるようにすることで、実際に思っていたより熱い湯が出てやけどをするといった危険を低減させることができ、安全性を向上させることができる。
【００６１】
また、給湯やふろお湯張りを行う場合は、リモコンがどのような画面であっても給湯温度ふろ湯量の画面を表示する（または音声報知する）ようにして使用者に都度確認させるようにしてもよい。
【００６２】
また、前記給湯機の運転中に、利用者がふろの設定温度や湯量設定を変更している最中に、前記給湯機の運転をＯＦＦにした場合や、前記給湯機の運転がＯＦＦ中には、利用者が給湯の設定温度の変更ができないようにすると共に、そのときに利用者が給湯の設定温度を変更しようと、所定の操作をしたときは、前記表示手段２に給湯機の運転ＯＦＦ中には給湯設定ができない旨の報知を行うことで、利用者に故障という誤解を与えることがなく、また、給湯機の運転中でなければ、給湯設定が行えないことを利用者に報知できるので、利用者の前記給湯機リモコンの操作性を向上させることができる。
【産業上の利用可能性】
【００６３】
本発明の給湯機リモコンは、給湯機の運転ＯＦＦ中は、利用者がふろ設定の操作が行えないようにし、利用者が、設定を変更していたことを忘れて、実際に思っていたより熱い湯が出たり、思っていたふろの湯量とは違った湯量が浴槽に貯まっているといった不具合の発生を低減させることができるので、ガス、電気、ヒートポンプ式など様々な手法の給湯機の、利用者のやけど等を防止し安全性を向上させることができるリモコンとしての用途に応用できる。
【図面の簡単な説明】
【００６４】
【図１】第１の実施の形態における給湯機リモコンの概観図
【図２】第１の実施の形態における給湯機リモコンの構成図
【図３】給湯機の運転をＯＮにしたときの、給湯機リモコンに表示する画面の例を示す図
【図４】ふろ設定・給湯設定のアイコンを表示する画面の例を示す図
【図５】ふろの温度や湯量を設定する画面の例を示す図
【図６】ふろ設定中に、給湯機の運転をＯＦＦしたときに表示する警告画面の例を示す図
【図７】給湯温度や湯量を設定する画面の例を示す図
【図８】給湯設定中に、給湯機の運転をＯＦＦしたときに表示する警告画面の例を示す図
【図９】従来の給湯機用メインリモコンの概観図
【符号の説明】
【００６５】
１  給湯機リモコン
２  表示手段
３  運転切替え手段
４  入力手段
６  制御手段
８  設定値変更手段
９  給湯設定手段
１１  給湯機メインリモコン
１２  液晶表示リモコン
１３  発光表示リモコン
１４  運転スイッチ
１５  運転ランプ
１６  給湯温度ＵＰスイッチ
１７  給湯温度ＤＯＷＮスイッチ
【図１】
2005121314.tif 000003
【図２】
2005121314.tif 000004
【図３】
2005121314.tif 000005
【図４】
2005121314.tif 000006
【図５】
2005121314.tif 000007
【図６】
2005121314.tif 000008
【図７】
2005121314.tif 000009
【図８】
2005121314.tif 000010
【図９】
2005121314.tif 000011